(57)【要約】【課題】パーシャル表示機能を有し、回路量と消費電力が小さい表示装置を提供する。【解決手段】画素回路１４に非表示データ書き込み用ＴＦＴ１９を設け、非表示データ書き込み用ＴＦＴ１９のゲート端子には固定の電源電圧ＶＰを印加する。走査信号線Ｇ１〜Ｇｎのいずれかに選択電圧が印加されているときには、書き込み用ＴＦＴ１８がオン状態となり、非表示データ書き込み用ＴＦＴ１９がオフ状態となる表示データ電圧をデータ信号線Ｄ１〜Ｄｍに印加する。パーシャル表示モードでは、走査信号線Ｇ１〜Ｇｎのすべてに非選択電圧が印加されている間に、非表示データ書き込み用ＴＦＴ１９がオン状態となる非表示データ電圧をデータ信号線Ｄ１〜Ｄｍに印加する。【選択図】図１
2008180836.tif 000002
【特許請求の範囲】
【請求項１】
パーシャル表示機能を有する表示装置であって、
２次元状に配置された複数の画素回路と複数の走査信号線と複数のデータ信号線とを含む画素アレイと、
前記走査信号線を駆動する走査信号線駆動回路と、
前記データ信号線を駆動するデータ信号線駆動回路とを備え、
前記画素回路は、
発光素子と、
前記発光素子を流れる電流の量を制御する駆動素子と、
前記駆動素子の制御端子と前記データ信号線との間に設けられ、制御端子が前記走査信号線に接続された第１のスイッチ素子と、
前記駆動素子の制御端子と前記データ信号線との間に設けられ、制御端子に固定の電圧が印加された第２のスイッチ素子と、
前記駆動素子の制御端子に印加された電圧を保持する容量素子とを含み、
いずれかの前記走査信号線に選択電圧が印加されているときには、前記第１のスイッチ素子がオン状態となり、前記第２のスイッチ素子がオフ状態となる表示データ電圧が前記データ信号線に印加され、
パーシャル表示モードでは、すべての前記走査信号線に非選択電圧が印加されている間に、前記第２のスイッチ素子がオン状態となる非表示データ電圧が前記データ信号線に印加されることを特徴とする、表示装置。
【請求項２】
パーシャル表示モードでは、表示領域外の走査信号線には前記非選択電圧が固定的に印加されることを特徴とする、請求項１に記載の表示装置。
【請求項３】
パーシャル表示機能を有する表示装置であって、
２次元状に配置された複数の画素回路と複数の走査信号線と複数のデータ信号線とを含む画素アレイと、
前記走査信号線を駆動する走査信号線駆動回路と、
前記データ信号線を駆動するデータ信号線駆動回路とを備え、
前記画素回路は、
発光素子と、
前記発光素子を流れる電流の量を制御する駆動素子と、
前記駆動素子の制御端子と前記データ信号線との間に設けられ、制御端子が前記走査信号線に接続されたスイッチ素子と、
前記駆動素子の制御端子に印加された電圧を保持する容量素子とを含み、
いずれかの前記走査信号線に選択電圧が印加されているときには、前記スイッチ素子がオン状態となる表示データ電圧が前記データ信号線に印加され、
パーシャル表示モードでは、表示領域内の走査信号線に第１の非選択電圧が印加され、表示領域外の走査信号線に第２の非選択電圧が印加されている間に、表示領域内の画素回路のスイッチ素子がオフ状態となり、表示領域外の画素回路のスイッチ素子がオン状態となる非表示データ電圧が前記データ信号線に印加されることを特徴とする、表示装置。
【請求項４】
パーシャル表示モードでは、表示領域外の走査信号線には前記第２の非選択電圧が固定的に印加されることを特徴とする、請求項３に記載の表示装置。
【請求項５】
前記発光素子が有機エレクトロルミネッセンス素子であることを特徴とする、請求項１または３に記載の表示装置。
【発明の詳細な説明】
【技術分野】
【０００１】
本発明は、表示装置に関し、特に、パーシャル表示機能を有する表示装置に関する。
【背景技術】
【０００２】
表示装置では、消費電力を削減するために、画面内で必要な部分（以下、表示領域という）のみに画像を表示し、それ以外の部分には画像を表示しないパーシャル表示が行われることがある。パーシャル表示は、パーシャル駆動とも呼ばれる。液晶表示装置では、表示領域外の画素回路に非表示データ（例えば、黒データ）を書き込み、その後は表示領域外の走査信号線を選択しないことにより、パーシャル表示を行うことができる。
【０００３】
ところが、有機エレクトロルミネッセンス（Electro Luminescence：以下、ＥＬという）素子を用いた有機ＥＬ表示装置では、上記の方法ではパーシャル表示を正しく行えない。その理由は、以下のとおりである。有機ＥＬ表示装置の画素回路では、有機ＥＬ素子に流れる電流の量を制御する駆動用ＴＦＴ（Thin Film Transistor）のゲート端子とデータ信号線の間に、書き込み用ＴＦＴが設けられる。書き込み用ＴＦＴをオフ状態に制御しても、リーク電流やソース−ドレイン間の寄生容量があるために、表示領域外の画素回路の駆動用ＴＦＴのゲート端子に、表示領域内の画素回路に書き込まれる電圧（データ信号線の電圧）が印加される。この状態が続くと、表示領域外の画素回路の駆動用ＴＦＴが本来はオフ状態となるべきであるのにオン状態となり、非表示領域が発光してしまう。
【０００４】
そこで、有機ＥＬ表示装置でパーシャル表示を行うためには、液晶表示装置とは異なる方法が必要となる。具体的な方法は、例えば特許文献１や２に開示されている。特許文献１には、パーシャル表示モードでは、走査信号線駆動回路は通常と同様の走査を行い、表示領域内から表示領域外に走査が移るときに黒データをラッチし、表示領域外の走査期間ではデータ信号線駆動回路の動作を停止させる方法が開示されている。特許文献２には、駆動用ＴＦＴと有機ＥＬ素子の間に電流遮断用のトランジスタを設け、パーシャル表示モードでは電流遮断用トランジスタをオフ状態にする方法が開示されている。
【特許文献１】特開２００３−３１６３１５号公報
【特許文献２】特開２００３−１２２３０４号公報
【発明の開示】
【発明が解決しようとする課題】
【０００５】
しかしながら、特許文献１に開示された方法では、走査信号線駆動回路はパーシャル表示モードでも通常と同様の走査を行うので、消費電力低減の効果は小さい。また、特許文献２に開示された方法では、電流遮断用トランジスタを制御するための制御線が必要となるので、回路量が増大する。
【０００６】
それ故に、本発明は、パーシャル表示機能を有し、回路量と消費電力が小さい表示装置を提供することを目的とする。
【課題を解決するための手段】
【０００７】
第１の発明は、パーシャル表示機能を有する表示装置であって、
２次元状に配置された複数の画素回路と複数の走査信号線と複数のデータ信号線とを含む画素アレイと、
前記走査信号線を駆動する走査信号線駆動回路と、
前記データ信号線を駆動するデータ信号線駆動回路とを備え、
前記画素回路は、
発光素子と、
前記発光素子を流れる電流の量を制御する駆動素子と、
前記駆動素子の制御端子と前記データ信号線との間に設けられ、制御端子が前記走査信号線に接続された第１のスイッチ素子と、
前記駆動素子の制御端子と前記データ信号線との間に設けられ、制御端子に固定の電圧が印加された第２のスイッチ素子と、
前記駆動素子の制御端子に印加された電圧を保持する容量素子とを含み、
いずれかの前記走査信号線に選択電圧が印加されているときには、前記第１のスイッチ素子がオン状態となり、前記第２のスイッチ素子がオフ状態となる表示データ電圧が前記データ信号線に印加され、
パーシャル表示モードでは、すべての前記走査信号線に非選択電圧が印加されている間に、前記第２のスイッチ素子がオン状態となる非表示データ電圧が前記データ信号線に印加されることを特徴とする。
【０００８】
第２の発明は、第１の発明において、
パーシャル表示モードでは、表示領域外の走査信号線には前記非選択電圧が固定的に印加されることを特徴とする。
【０００９】
第３の発明は、パーシャル表示機能を有する表示装置であって、
２次元状に配置された複数の画素回路と複数の走査信号線と複数のデータ信号線とを含む画素アレイと、
前記走査信号線を駆動する走査信号線駆動回路と、
前記データ信号線を駆動するデータ信号線駆動回路とを備え、
前記画素回路は、
発光素子と、
前記発光素子を流れる電流の量を制御する駆動素子と、
前記駆動素子の制御端子と前記データ信号線との間に設けられ、制御端子が前記走査信号線に接続されたスイッチ素子と、
前記駆動素子の制御端子に印加された電圧を保持する容量素子とを含み、
いずれかの前記走査信号線に選択電圧が印加されているときには、前記スイッチ素子がオン状態となる表示データ電圧が前記データ信号線に印加され、
パーシャル表示モードでは、表示領域内の走査信号線に第１の非選択電圧が印加され、表示領域外の走査信号線に第２の非選択電圧が印加されている間に、表示領域内の画素回路のスイッチ素子がオフ状態となり、表示領域外の画素回路のスイッチ素子がオン状態となる非表示データ電圧が前記データ信号線に印加されることを特徴とする。
【００１０】
第４の発明は、第３の発明において、
パーシャル表示モードでは、表示領域外の走査信号線には前記第２の非選択電圧が固定的に印加されることを特徴とする。
【００１１】
第５の発明は、第１または第３の発明において、
前記発光素子が有機エレクトロルミネッセンス素子であることを特徴とする。
【発明の効果】
【００１２】
上記第１の発明によれば、パーシャル表示モードでは、データ信号線に非表示データ電圧を印加すれば、走査信号線を選択しなくても画素回路に非表示データ電圧を書き込めるので、パーシャル表示モードにおける消費電力を削減することができる。また、第２のスイッチ素子の制御端子には固定の電圧が印加されるので、第２のスイッチ素子を制御するための制御線は不要である。したがって、回路量を大幅に増大させずに、低消費電力でパーシャル表示を行う表示装置を得ることができる。
【００１３】
上記第２の発明によれば、パーシャル表示モードでは表示領域外の走査信号線の電圧を非選択電圧に固定することにより、パーシャル表示モードにおける消費電力を削減することができる。
【００１４】
上記第３の発明によれば、パーシャル表示モードでは、データ信号線に非表示データ電圧が印加すれば、走査信号線を選択しなくても表示領域外の画素回路に非表示データ電圧を書き込めるので、パーシャル表示モードにおける消費電力を削減することができる。また、パーシャル表示を行うために、画素回路に回路素子を追加する必要はない。したがって、回路量を大幅に増大させずに、低消費電力でパーシャル表示を行う表示装置を得ることができる。
【００１５】
上記第４の発明によれば、パーシャル表示モードでは表示領域外の走査信号線の電圧を第２の非選択電圧に固定することにより、パーシャル表示モードにおける消費電力を削減することができる。
【００１６】
上記第５の発明によれば、回路量を大幅に増大させずに、低消費電力でパーシャル表示を行う有機ＥＬ表示装置を得ることができる。
【発明を実施するための最良の形態】
【００１７】
（第１の実施形態）
図１は、本発明の第１の実施形態に係る有機ＥＬ表示装置の構成を示す図である。図１に示す有機ＥＬ表示装置１は、画素アレイ１０、表示制御回路１１、走査信号線駆動回路１２、および、データ信号線駆動回路１３を備えている。以下、ｍおよびｎは２以上の整数、ｉは１以上ｎ以下の整数、ｊは１以上ｍ以下の整数であるとする。
【００１８】
画素アレイ１０は、（ｍ×ｎ）個の画素回路１４、ｎ本の走査信号線Ｇ１〜Ｇｎ、および、ｍ本のデータ信号線Ｄ１〜Ｄｍを含んでいる。画素回路１４は、２次元状に並べて配置される。より詳細には、（ｍ×ｎ）個の画素回路１４は、行方向（図１では横方向）にｍ個、列方向（図１では縦方向）にｎ個並べて配置される。走査信号線Ｇ１〜Ｇｎは、同じ行に配置された画素回路１４に共通して接続される。データ信号線Ｄ１〜Ｄｍは、同じ列に配置された画素回路１４に共通して接続される。
【００１９】
表示制御回路１１は、走査信号線駆動回路１２に制御信号Ｃ１を出力すると共に、データ信号線駆動回路１３に制御信号Ｃ２と表示データＤＴを出力する。走査信号線駆動回路１２は、制御信号Ｃ１に基づき、走査信号線Ｇ１〜Ｇｎに選択電圧と非選択電圧を切り替えて印加する。データ信号線駆動回路１３は、制御信号Ｃ２に基づき、表示データＤＴに応じた電圧（以下、表示データ電圧という）をデータ信号線Ｄ１〜Ｄｍに印加する。
【００２０】
画素回路１４は、いわゆる２ＴＦＴ＋１Ｃ構成の画素回路に非表示データ書き込み用ＴＦＴ１９を追加したものである。画素回路１４は、有機ＥＬ素子１５、駆動用ＴＦＴ１６、コンデンサ１７、書き込み用ＴＦＴ１８、および、非表示データ書き込み用ＴＦＴ１９を含んでいる。画素回路１４に含まれる３個のＴＦＴは、いずれもＰチャネル型である。
【００２１】
図１に示すように、有機ＥＬ素子１５と駆動用ＴＦＴ１６は直列に接続され、駆動用ＴＦＴ１６のソース端子には電源電圧ＶＰが、有機ＥＬ素子１５のカソード端子には共通電極電圧ＶＣＯＭが印加される。駆動用ＴＦＴ１６のゲート端子とソース端子の間には、コンデンサ１７が設けられる。駆動用ＴＦＴ１６のゲート端子とデータ信号線Ｄｊの間には書き込み用ＴＦＴ１８が設けられ、書き込み用ＴＦＴ１８のゲート端子は走査信号線Ｇｉに接続される。駆動用ＴＦＴ１６のゲート端子とデータ信号線Ｄｊの間には、さらに非表示データ書き込み用ＴＦＴ１９が設けられ、非表示データ書き込み用ＴＦＴ１９のゲート端子には固定の電源電圧ＶＰが印加される。
【００２２】
有機ＥＬ素子１５は、流れる電流の量に応じた輝度で発光する発光素子である。駆動用ＴＦＴ１６は、ゲート端子電圧に応じて、有機ＥＬ素子１５を流れる電流の量を制御する駆動素子である。コンデンサ１７は、駆動用ＴＦＴ１６のゲート端子電圧を保持する容量素子である。書き込み用ＴＦＴ１８と非表示データ書き込み用ＴＦＴ１９は、互いに独立して動作し、データ信号線Ｄｊの電圧を駆動用ＴＦＴ１６のゲート端子に印加するか否かを切り替える。
【００２３】
有機ＥＬ表示装置１は、パーシャル表示機能を有し、通常表示モードでは画面全体に画像を表示し、パーシャル表示モードでは画面の一部（表示領域）に画像を表示する。以下、画面の１行目からｋ行目（ｋは１以上ｎ未満の整数）が、パーシャル表示モードにおける表示領域になるものとする。表示制御回路１１には、通常表示モードかパーシャル表示モードかを示すモード制御信号ＭＣが供給される。表示制御回路１１は、モード制御信号ＭＣに応じて異なる制御信号Ｃ１、Ｃ２を出力する。走査信号線駆動回路１２とデータ信号線駆動回路１３は、モード制御信号ＭＣに応じて異なる動作を行う。
【００２４】
図２は、有機ＥＬ表示装置１の通常表示モードの信号波形図である。図３は、有機ＥＬ表示装置１のパーシャル表示モードの信号波形図である。以下、電源電圧ＶＰは１０Ｖ、非表示データ書き込み用ＴＦＴ１９の閾値電圧Ｖｔｈは−２Ｖ、表示データ電圧の範囲は０〜１０Ｖであるとする。０Ｖの表示データ電圧は白表示を行うための電圧（白データ電圧）であり、１０Ｖの表示データ電圧は黒表示を行うための電圧（黒データ電圧）である。パーシャル表示モードにおいて表示領域外の画素回路１４に書き込む電圧（以下、非表示データ電圧という）を、黒データ電圧よりも高い１４Ｖに定める。
【００２５】
通常表示モード（図２）では、走査信号線駆動回路１２は、走査信号線Ｇ１〜Ｇｎの中から１本の走査信号線を順に選択し、選択した走査信号線には選択電圧として−４Ｖを印加し、それ以外の走査信号線には非選択電圧として１４Ｖを印加する。データ信号線駆動回路１３は、データ信号線Ｄ１〜Ｄｍに表示データ電圧（０〜１０Ｖ）を印加する。
【００２６】
画素回路１４では、走査信号線Ｇｉの電圧が選択電圧になると、書き込み用ＴＦＴ１８のゲート端子電圧は−４Ｖ、ソース端子電圧は０〜１０Ｖとなり、書き込み用ＴＦＴ１８はオン状態となる。このため、駆動用ＴＦＴ１６のゲート端子にはデータ信号線Ｄｊの電圧（表示データ電圧）が印加され、コンデンサ１７には電源電圧ＶＰと表示データ電圧の差に応じた量の電荷が蓄積される。このようにして、画素回路１４には書き込み用ＴＦＴ１８経由で、表示データ電圧が書き込まれる。
【００２７】
その後に走査信号線Ｇｉの電圧が非選択電圧になると、書き込み用ＴＦＴ１８のゲート端子電圧は１４Ｖとなり、書き込み用ＴＦＴ１８はオフ状態となる。書き込み用ＴＦＴ１８がオフ状態となった後も、コンデンサ１７の作用によって、駆動用ＴＦＴ１６のゲート端子電圧は従前のレベルに保たれる。したがって、走査信号線Ｇｉの電圧が再び選択電圧になるまで、有機ＥＬ素子１５は、画素回路１４に書き込まれた表示データ電圧（駆動用ＴＦＴ１６のゲート端子電圧）に応じた輝度で発光する。
【００２８】
なお、非表示データ書き込み用ＴＦＴ１９のゲート端子電圧は１０Ｖに固定されているので、データ信号線Ｄｊの電圧が０〜１０Ｖの範囲で変化しても、非表示データ書き込み用ＴＦＴ１９のゲート−ソース間電圧Ｖｇｓは常に０Ｖ以上となり、非表示データ書き込み用ＴＦＴ１９はオフ状態のままである。このため、通常表示モードでは、非表示データ書き込み用ＴＦＴ１９を無視することができる。
【００２９】
パーシャル表示モード（図３）では、走査信号線駆動回路１２は、表示領域内の走査信号線Ｇ１〜Ｇｋの中から１本の走査信号線を順に選択し、選択した走査信号線には選択電圧として−４Ｖを印加し、それ以外の走査信号線（表示領域外の走査信号線Ｇｋ＋１〜Ｇｎを含む）には非選択電圧として１４Ｖを印加する。データ信号線駆動回路１３は、走査信号線Ｇ１〜Ｇｋのいずれかに選択電圧が印加されているときには、データ信号線Ｄ１〜Ｄｍに表示データ電圧（０〜１０Ｖ）を印加し、それ以外のとき（すなわち、走査信号線Ｇ１〜Ｇｎのすべてに非選択電圧が印加されているとき）には、データ信号線Ｄ１〜Ｄｍに非表示データ電圧（１４Ｖ）を印加する。
【００３０】
表示領域内の画素回路１４では、走査信号線Ｇｉの電圧が選択電圧になると、表示データ電圧が書き込まれ、その後、有機ＥＬ素子１５は書き込まれた表示データ電圧に応じた輝度で発光する。
【００３１】
非表示データ書き込み用ＴＦＴ１９のゲート端子電圧は１０Ｖに固定されているので、データ信号線Ｄ１〜Ｄｍの電圧が非表示データ電圧になると、すべての画素回路１４（表示領域内でも表示領域外でも）において、非表示データ書き込み用ＴＦＴ１９のソース端子電圧は１４Ｖ、ゲート−ソース間電圧Ｖｇｓは−４Ｖとなり、非表示データ書き込み用ＴＦＴ１９はオン状態となる。このため、駆動用ＴＦＴ１６のゲート端子にはデータ信号線Ｄｊの電圧（非表示データ電圧）が印加され、コンデンサ１７には電源電圧ＶＰと非表示データ電圧の差に応じた量の電荷が蓄積される。このようにして、画素回路１４には非表示データ書き込み用ＴＦＴ１９経由で、非表示データ電圧が書き込まれる。
【００３２】
なお、パーシャル表示モードにおいてデータ信号線Ｄ１〜Ｄｍに非表示データ電圧を印加すると、表示領域外の画素回路１４だけでなく、表示領域内の画素回路１４にも非表示データ電圧が書き込まれる。したがって、パーシャル表示を行うためには、フリッカが発生しない周期で表示領域内の画素回路１４に表示データ電圧を書き込む必要がある。
【００３３】
以上に示すように、有機ＥＬ表示装置１では、走査信号線Ｇ１〜Ｇｎのいずれかに選択電圧（−４Ｖ）が印加されているときには、書き込み用ＴＦＴ１８がオン状態となり、非表示データ書き込み用ＴＦＴ１９がオフ状態となる表示データ電圧（０〜１０Ｖ）がデータ信号線にＤ１〜Ｄｍ印加される。また、パーシャル表示モードでは、走査信号線Ｇ１〜Ｇｎのすべてに非選択電圧（１４Ｖ）が印加されている間に、非表示データ書き込み用ＴＦＴ１９がオン状態となる非表示データ電圧（１４Ｖ）がデータ信号線Ｄ１〜Ｄｍに印加される。
【００３４】
このようにパーシャル表示モードでは、データ信号線Ｄ１〜Ｄｍに非表示データ電圧を印加すれば、走査信号線Ｇ１〜Ｇｎを選択しなくても、画素回路１４に非表示データ電圧を書き込むことができる。特に、パーシャル表示モードでは、表示領域外の走査信号線Ｇｋ＋１〜Ｇｎの電圧を非選択電圧に固定してもよい。これにより、パーシャル表示モードにおける消費電力を削減することができる。
【００３５】
また、パーシャル表示を行うために、画素回路１４に非表示データ書き込み用ＴＦＴ１９が追加されているが、非表示データ書き込み用ＴＦＴ１９のゲート端子には固定の電源電圧ＶＰが印加されているので、非表示データ書き込み用ＴＦＴ１９を制御するための制御線は不要である。したがって、有機ＥＬ表示装置１によれば、回路量を大幅に増大させずに、画素の開口率をあまり低下させずに、低消費電力でパーシャル表示を行うことができる。
【００３６】
なお、図３に示す例では、データ信号線駆動回路１３は、パーシャル表示モードにおいて走査信号線Ｇ１〜Ｇｎのすべてに非選択電圧が印加されているときに、データ信号線Ｄ１〜Ｄｍに非表示データ電圧を印加することとしたが、非表示データ電圧を印加する期間はこれより短くてもよい。例えば、データ信号線駆動回路１３は、パーシャル表示モードにおいて走査信号線Ｇ１〜Ｇｎのすべてに非選択電圧が印加されている期間の一部において、データ信号線Ｄ１〜Ｄｍに非表示データ電圧を印加してもよい。また、データ信号線駆動回路１３は、すべてのフレーム時間内で非表示データ電圧を印加してもよく、一部のフレーム時間内で非表示データを印加してもよい。このように、パーシャル表示モードでは、走査信号線Ｇ１〜Ｇｎのすべてに非選択電圧が印加されている間に、非表示データ書き込み用ＴＦＴ１９がオン状態となる非表示データ電圧がデータ信号線Ｄ１〜Ｄｍに印加されればよい。
【００３７】
（第２の実施形態）
図４は、本発明の第２の実施形態に係る有機ＥＬ表示装置の構成を示す図である。図４に示す有機ＥＬ表示装置２は、画素アレイ２０、表示制御回路１１、走査信号線駆動回路２２、および、データ信号線駆動回路１３を備えている。本実施形態の構成要素のうち、第１の実施形態と同一の要素については、同一の参照符号を付して説明を省略する。
【００３８】
画素アレイ２０は、（ｍ×ｎ）個の画素回路２４、ｎ本の走査信号線Ｇ１〜Ｇｎ、および、ｍ本のデータ信号線Ｄ１〜Ｄｍを含んでいる。画素アレイ２０の構成は、第１の実施形態に係る画素アレイ１０と同じである。画素回路２４は、いわゆる２ＴＦＴ＋１Ｃ構成の画素回路である。画素回路２４の構成は、非表示データ書き込み用ＴＦＴ１９を含まない点を除き、第１の実施形態に係る画素回路１４と同じである。
【００３９】
有機ＥＬ表示装置２は、第１の実施形態と同様に、通常表示モードでは画面全体に画像を表示し、パーシャル表示モードでは所定の表示領域に画像を表示する。図５は、有機ＥＬ表示装置２の通常表示モードの信号波形図である。図６は、有機ＥＬ表示装置２のパーシャル表示モードの信号波形図である。有機ＥＬ表示装置２でも、第１の実施形態と同様に、電源電圧ＶＰは１０Ｖ、表示データ電圧の範囲は０〜１０Ｖであるとし、非表示データ電圧を１４Ｖに定める。
【００４０】
通常表示モード（図５）では、走査信号線駆動回路２２は、走査信号線Ｇ１〜Ｇｎの中から１本の走査信号線を順に選択し、選択した走査信号線には選択電圧として−４Ｖを印加し、それ以外の走査信号線には非選択電圧として１０Ｖ（第１の実施形態とは異なる）を印加する。データ信号線駆動回路１３は、データ信号線Ｄ１〜Ｄｍに表示データ電圧（０〜１０Ｖ）を印加する。通常表示モードの動作は、非選択電圧が１０Ｖである点を除き、第１の実施形態と同じである。
【００４１】
パーシャル表示モード（図６）では、走査信号線駆動回路２２は、表示領域内の走査信号線Ｇ１〜Ｇｋの中から１本の走査信号線を順に選択し、選択した走査信号線には選択電圧として−４Ｖを印加し、それ以外の走査信号線（表示領域外の走査信号線Ｇｋ＋１〜Ｇｎを含む）には非選択電圧として１０Ｖ（第１の実施形態とは異なる）を印加する。データ信号線駆動回路１３は、走査信号線Ｇ１〜Ｇｋのいずれかに選択電圧が印加されているときには、データ信号線Ｄ１〜Ｄｍに表示データ電圧（０〜１０Ｖ）を印加し、それ以外のとき（すなわち、走査信号線Ｇ１〜Ｇｎのすべてに非選択電圧が印加されているとき）には、データ信号線Ｄ１〜Ｄｍに非表示データ電圧（１４Ｖ）を印加する。
【００４２】
走査信号線駆動回路２２は、データ信号線Ｄ１〜Ｄｍに非表示データ電圧が印加されているときには、表示領域内の走査信号線Ｇ１〜Ｇｋには非選択電圧として１４Ｖを印加し、表示領域外の走査信号線Ｇｋ＋１〜Ｇｎには非選択電圧として引き続き１０Ｖを印加する。パーシャル表示モードでは、表示領域外の走査信号線Ｇｋ＋１〜Ｇｎには常に１０Ｖの非選択電圧が印加される。
【００４３】
表示領域外の画素回路２４では、データ信号線Ｄｊの電圧が非表示データ電圧になると、書き込み用ＴＦＴ１８のゲート端子電圧は１０Ｖ、ソース端子電圧は１４Ｖ、ゲート−ソース間電圧Ｖｇｓは−４Ｖとなり、書き込み用ＴＦＴ１８はオン状態となる。このため、駆動用ＴＦＴ１６のゲート端子にはデータ信号線Ｄｊの電圧（非表示データ電圧）が印加され、コンデンサ１７には電源電圧ＶＰと非表示データ電圧の差に応じた量の電荷が蓄積される。このようにして、表示領域外の画素回路２４には書き込み用ＴＦＴ１８経由で、非表示データ電圧が書き込まれる。
【００４４】
これに対して、表示領域内の画素回路２４では、データ信号線Ｄ１〜Ｄｍの電圧が非表示データ電圧になると、書き込み用ＴＦＴ１８のゲート端子電圧とソース端子電圧はいずれも１４Ｖ、ゲート−ソース間電圧Ｖｇｓは０Ｖとなり、書き込み用ＴＦＴ１８はオフ状態のままである。このため、表示領域内の画素回路２４に非表示データ電圧は書き込まれない。
【００４５】
以上に示すように、有機ＥＬ表示装置２では、走査信号線Ｇ１〜Ｇｎのいずれかに選択電圧（−４Ｖ）が印加されているときには、書き込み用ＴＦＴ１８がオン状態となる表示データ電圧（０〜１０Ｖ）がデータ信号線Ｄ１〜Ｄｍに印加される。また、パーシャル表示モードでは、表示領域内の走査信号線Ｇ１〜Ｇｋに１４Ｖの非選択電圧が印加され、表示領域外の走査信号線Ｇｋ＋１〜Ｇｎに１０Ｖの非選択電圧が印加されている間に、表示領域内の画素回路２４の書き込み用ＴＦＴ１８がオフ状態となり、表示領域外の画素回路２４の書き込み用ＴＦＴ１８がオン状態となる非表示データ電圧（１４Ｖ）がデータ信号線Ｄ１〜Ｄｍに印加される。
【００４６】
このようにパーシャル表示モードでは、データ信号線Ｄ１〜Ｄｍに非表示データ電圧を印加すれば、走査信号線Ｇ１〜Ｇｎを選択しなくても、表示領域内の画素回路２４に非表示データ電圧を書き込むことができる。特に、パーシャル表示モードでは表示領域外の走査信号線Ｇｋ＋１〜Ｇｎの電圧を１０Ｖの非選択電圧に固定してもよい。これにより、パーシャル表示モードにおける消費電力を削減することができる。
【００４７】
パーシャル表示モードでは、表示領域内の走査信号線Ｇ１〜Ｇｋに印加される非選択電圧は１０Ｖと１４Ｖの間で切り替られるが、表示領域外の走査信号線Ｇｋ＋１〜Ｇｎに印加される非選択電圧は１０Ｖに固定されている。通常の使用形態では、パーシャル表示モードにおける表示領域は、非表示領域（画面全体から表示領域を除いた部分）よりも十分に小さい。したがって、通常の使用形態では、パーシャル表示モードにおける消費電力は、通常表示モードにおける消費電力よりも小さくなる。
【００４８】
また、パーシャル表示を行うために、画素回路２４に回路素子を追加する必要はない。したがって、有機ＥＬ表示装置２によれば、回路量を大幅に増大させずに、画素の開口率をあまり低下させずに、低消費電力でパーシャル表示を行うことができる。
【００４９】
なお、有機ＥＬ表示装置２でも、第１の実施形態と同様に、データ信号線駆動回路１３がデータ信号線Ｄ１〜Ｄｍに非表示データ電圧を印加する期間を図６に示す例より短くしてもよい。
【００５０】
また、ここまでパーシャル表示機能を有する表示装置の例として有機ＥＬ表示装置について説明してきたが、有機ＥＬ表示装置以外の表示装置についても同様の方法で、パーシャル表示機能を有し、回路量と消費電力の小さい表示装置を構成することができる。
【図面の簡単な説明】
【００５１】
【図１】本発明の第１の実施形態に係る有機ＥＬ表示装置の構成を示す図である。
【図２】図１に示す有機ＥＬ表示装置の通常表示モードの信号波形図である。
【図３】図１に示す有機ＥＬ表示装置のパーシャル表示モードの信号波形図である。
【図４】本発明の第２の実施形態に係る有機ＥＬ表示装置の構成を示す図である。
【図５】図４に示す有機ＥＬ表示装置の通常表示モードの信号波形図である。
【図６】図４に示す有機ＥＬ表示装置のパーシャル表示モードの信号波形図である。
【符号の説明】
【００５２】
１、２…有機ＥＬ表示装置
１０、２０…画素アレイ
１１…表示制御回路
１２、２２…走査信号線駆動回路
１３…データ信号線駆動回路
１４、２４…画素回路
１５…有機ＥＬ素子
１６…駆動用ＴＦＴ
１７…コンデンサ
１８…書き込み用ＴＦＴ
１９…非表示データ書き込み用ＴＦＴ
【図１】
2008180836.tif 000003
【図２】
2008180836.tif 000004
【図３】
2008180836.tif 000005
【図４】
2008180836.tif 000006
【図５】
2008180836.tif 000007
【図６】
2008180836.tif 000008